(57)【特許請求の範囲】
【請求項１】
ボルト挿通孔を備えて、一方のコンクリートセグメントの連結端面側に埋設される第１連結金具と、前記ボルト挿通孔に挿通されるボルトと、そのボルトと螺合する雌ねじ部を備えて、他方のコンクリートセグメントの連結端面側に埋設される第２連結金具とからなり、
前記第２連結金具が、前記雌ねじ部を備えて、前記他方のコンクリートセグメントの連結端面に沿って露出する袋ナット部と、その袋ナット部に連設されて前記他方のコンクリートセグメントの内方に位置するアンカー部とで構成されているコンクリートセグメント用連結具であって、
前記第１連結金具が、互いに対をなす２つの基部側ボルト挿通孔と、１つの頂部側ボルト挿通孔とを備え、
前記第２連結金具が、前記基部側ボルト挿通孔に対応して互いに対をなす２つの基部側袋ナット部と、前記頂部側ボルト挿通孔に対応する１つの頂部側袋ナット部とを備え、
前記１つの頂部側袋ナット部に対して、１つの頂部側アンカー部が連設されるとともに、
前記２つの基部側袋ナット部に対して、前記頂部側アンカー部よりも太い１つの基部側アンカー部が、２つの基部側袋ナット部を共有する状態で連設されているコンクリートセグメント用連結具。
【請求項２】
前記基部側アンカー部の断面形状が、互いに対をなす２つの基部側袋ナット部の並び方向に沿って長い長円形に構成されている請求項１に記載のコンクリートセグメント用連結具。
【発明の詳細な説明】
【０００１】
【発明の属する技術分野】
本発明は、ボルト挿通孔を備えて、一方のコンクリートセグメントの連結端面側に埋設される第１連結金具と、前記ボルト挿通孔に挿通されるボルトと、そのボルトと螺合する雌ねじ部を備えて、他方のコンクリートセグメントの連結端面側に埋設される第２連結金具とからなり、前記第２連結金具が、前記雌ねじ部を備えて、前記他方のコンクリートセグメントの連結端面に沿って露出する袋ナット部と、その袋ナット部に連設されて前記他方のコンクリートセグメントの内方に位置するアンカー部とで構成されているコンクリートセグメント用連結具に関する。
【０００２】
【従来の技術】
このようなコンクリートセグメント用連結具は、例えば、特開平１０−１７６４９０号公報により知られており、その公報には、第１連結金具が２つのボルト挿通孔を備え、第２連結金具が２つの袋ナット部を備えたものが示されている。
つまり、上記公報に示された従来の連結具は、図７に示すように、第１連結金具Ｋ１が、上下方向に２つのボルト挿通孔１Ａ，２Ａを備え、第２連結金具Ｋ２が、その上下のボルト挿通孔１Ａ，１Ｂに対応する状態で、上下方向に２つの袋ナット部６Ａ，７Ａを備え、各袋ナット部６Ａ，７Ａにボルトが螺合する雌ねじ部８Ａが設けられていて、第１連結金具Ｋ１のボルト挿通孔１Ａ，１ＢにボルトＢを挿通し、第２連結金具Ｋ２の袋ナット部６Ａ，７Ａに設けられた雌ねじ部８Ａに螺合することにより、コンクリートセグメントを連結するように構成されている。
【０００３】
【発明が解決しようとする課題】
しかし、上述した従来の連結具では、図８に示すように、第１連結金具Ｋ１と第２連結金具Ｋ２とをボルトＢで互いに連結することにより、複数のコンクリートセグメントＳ１，Ｓ２を順次連結してトンネルの横穴周壁を構築した場合、上方から土圧などの大きな圧力Ｐが掛かって、例えば、上方に位置するボルトＢに圧縮力が、下方に位置するボルトＢに引張力が作用すると、引張力が作用する下方のボルトＢの方が破損し易く、この点に改良の余地があった。
【０００４】
かかる問題点を解消するためには、図９に示すように、第１連結金具Ｋ１を二等辺三角形に構成して、その二等辺三角形の底部側に互いに対をなす２つの基部側ボルト挿通孔１Ａを、頂部側に１つの頂部側ボルト挿通孔２Ａを設け、第２連結金具Ｋ２には、その３つのボルト挿通孔１Ａ，２Ａに対応する状態で、互いに対をなす２つの基部側袋ナット部６Ａと、１つの頂部側袋ナット部７Ａとを設けるとともに、頂部側袋ナット部７Ａには、頂部側アンカー部９Ａを、２つの基部側袋ナット部６Ａには、それぞれ基部側アンカー部１４Ａを連設して、２つの基部側袋ナット部６Ａと頂部側袋ナット部７Ａとを前側連結部材１８Ａで連結し、２つの基端側アンカー部１４Ａと頂部側アンカー部９Ａとの端部を後側連結部材２０Ａで連結することが考えられる。
【０００５】
この図９に示した構成であれば、上方から大きな圧力Ｐが掛かって、例えば、上方に位置するボルトＢに圧縮力が、下方に位置するボルトＢに引張力が作用しても、引張力に対しては、下方に位置する２本のボルトＢで対抗することになり、引張力に対しても充分に耐えることができる。
しかし、かかる構成を採用すると、２つの基部側袋ナット部６Ａに対して、それぞれ基部側アンカー部１４Ａが連設されているため、この第２連結金具Ｋ２をコンクリートセグメントに埋設する際、２つある基部側アンカー部１４Ａの裏側にまでコンクリートが充分に入り込まず、例えば、各基部側アンカー部１４Ａの下面に空隙ができて、コンクリートセグメントに対する第２連結金具Ｋ２のコンクリートとの付着取付け力が低下する虞がある。
【０００６】
本発明は、このような種々の問題点を一挙に解消するもので、その目的は、コンクリートセグメントを連結した状態で、たとえ大きな圧力が掛かっても、その圧力に起因する圧縮力と引張力とに充分に対抗することができ、しかも、コンクリートセグメントに対する連結金具の取付けも強固に行うことのできるコンクリートセグメント用連結具の提供にある。
【０００７】
【課題を解決するための手段】
〔構成〕
請求項１の発明の特徴構成は、図１に例示するごとく、ボルト挿通孔１，２を備えて、一方のコンクリートセグメントＳ１の連結端面側に埋設される第１連結金具Ｋ１と、前記ボルト挿通孔１，２に挿通されるボルトＢと、そのボルトＢと螺合する雌ねじ部８を備えて、他方のコンクリートセグメントＳ２の連結端面側に埋設される第２連結金具Ｋ２とからなり、前記第２連結金具Ｋ２が、前記雌ねじ部８を備えて、前記他方のコンクリートセグメントＳ２の連結端面に沿って露出する袋ナット部６，７と、その袋ナット部６，７に連設されて前記他方のコンクリートセグメントＳ２の内方に位置するアンカー部９，１４とで構成されているコンクリートセグメント用連結具であって、前記第１連結金具Ｋ１が、互いに対をなす２つの基部側ボルト挿通孔１と、１つの頂部側ボルト挿通孔２とを備え、前記第２連結金具Ｋ２が、前記基部側ボルト挿通孔１に対応して互いに対をなす２つの基部側袋ナット部６と、前記頂部側ボルト挿通孔２に対応する１つの頂部側袋ナット部７とを備え、前記１つの頂部側袋ナット部７に対して、１つの頂部側アンカー部９が連設されるとともに、前記２つの基部側袋ナット部７に対して、前記頂部側アンカー部９よりも太い１つの基部側アンカー部１４が、２つの基部側袋ナット部６を共有する状態で連設されているところにある。
【０００８】
請求項２の発明の特徴構成は、図５に例示するごとく、前記基部側アンカー部１４の断面形状が、互いに対をなす２つの基部側袋ナット部６の並び方向に沿って長い長円形に構成されているところにある。
【０００９】
なお、上述のように、図面との対照を便利にするために符号を記したが、該記入により本発明は添付図面の構成に限定されるものではない。
【００１０】
〔作用及び効果〕
請求項１の発明の特徴構成によれば、一方のコンクリートセグメントに埋設される第１連結金具が、互いに対をなす２つの基部側ボルト挿通孔と、１つの頂部側ボルト挿通孔とを備え、他方のコンクリートセグメントに埋設される第２連結金具が、前記基部側ボルト挿通孔に対応して互いに対をなす２つの基部側袋ナット部と、前記頂部側ボルト挿通孔に対応する１つの頂部側袋ナット部とを備えているので、第１連結金具の２つの基部側ボルト挿通孔と第２連結金具の２つの基部側袋ナット部とを引張力が作用する側に位置させて、両連結金具をボルトにより連結することにより、コンクリートセグメントに大きな圧力が掛かっても、その圧力に起因する圧縮力に対しては１本のボルトで対抗するものの、引張力に対しては２本のボルトで対抗するため、全体としてボルトの数を極力少なくしながら、大きな圧力に対しても充分に対抗することができる。
【００１１】
そして、第２連結金具の１つの頂部側袋ナット部に対しては、１つの頂部側アンカー部が連設され、２つの基部側袋ナット部に対しても、その２つの基部側袋ナット部を共有する状態で１つの基部側アンカー部が連設されているので、図９に示したように、２つの基部側袋ナット部に対して、それぞれ各別に基部側アンカー部を連設する場合のように、第２連結金具をコンクリートセグメントに埋設する際、基部側アンカー部の裏側にまでコンクリートが充分に入り込まずに空隙ができる虞も少なく、コンクリートセグメントに対して第２連結金具を強固に取付けることができ、しかも、その１つの基部側アンカー部は、頂部側アンカー部よりも太いので、２つの基部側袋ナット部に対するアンカー作用も支障なく期待することができる。
【００１２】
請求項２の発明の特徴構成によれば、基部側アンカー部の断面形状が、長円形に構成されているので、例えば、基部側アンカー部の断面形状を矩形にするのに比べて、コンクリートセグメントへの埋設時において、基部側アンカー部裏側へのコンクリートの入り込みが円滑で、より確実に空隙の発生を防止することができる。
そして、その断面形状が長円形の基部側アンカー部は、その長円形の長い側が、互いに対をなす２つの基部側袋ナット部の並び方向に沿うように構成されているので、コンクリートセグメントを連結した状態で、その連結したコンクリートセグメント間にせん断力が作用しても、そのせん断力の作用方向に直交する方向に沿って長円形の長い側が位置することになるので、コンクリートセグメント間に作用するせん断力を確実に受止めて支持することができる。
【００１３】
【発明の実施の形態】
本発明によるコンクリートセグメント用連結具の実施の形態を図面に基づいて説明する。
この連結具は、図１〜図４に示すように、一方のコンクリートセグメントＳ１の連結端面側に埋設される第１連結金具Ｋ１と、他方のコンクリートセグメントＳ２の連結端面側に埋設される第２連結金具Ｋ２とを備え、これら第１連結金具Ｋ１と第２連結金具Ｋ２とをボルトＢで互いに連結することにより、複数のコンクリートセグメントＳ１，Ｓ２を順次連結して、例えば、トンネルの横穴周壁を構築するために用いられるものである。
【００１４】
前記第１連結金具Ｋ１は、その形状が二等辺三角形状に構成され、二等辺三角形の底部側には、その底部に沿った状態で互いに対をなす２つの基部側ボルト挿通孔１が設けられ、二等辺三角形の頂部側には、１つの頂部側ボルト挿通孔２が設けられている。そして、第１連結金具Ｋ１の底部側の左右には、互いに対をなす２本の基部側棒状アンカー３が螺合され、頂部側にも、２本の頂部側棒状アンカー４が螺合されていて、これら４本の棒状アンカー３，４もコンクリートセグメントＳ１に埋設されている。
この第１連結金具Ｋ１をコンクリートセグメントＳ１に埋設するに際しては、第１連結金具Ｋ１の裏側に中子を位置させてコンクリートを硬化させ、それによって、第１連結金具Ｋ１の裏側には、ボルトＢを挿入螺合するときの作業用の空間５が形成されている。
【００１５】
前記第２連結金具Ｋ２は、第１連結金具Ｋ１に設けられた２つの基部側ボルト挿通孔１に対応する状態で互いに対をなす２つの基部側袋ナット部６と、１つの頂部側ボルト挿通孔２に対応する１つの頂部側袋ナット部７とを備え、各袋ナット部６，７には、ボルトＢが螺合される雌ねじ部８が設けられていて、各袋ナット部６，７に設けられた雌ねじ部８が、他方のコンクリートセグメントＳ２の連結端面に沿って露出するように埋設されている。
そして、１つの頂部側袋ナット部７には、断面形状が円形の１つの頂部側アンカー部９が連設され、頂部側袋ナット部７から頂部側アンカー部９への連設箇所にわたっては、左右に突出する状態で、頂部側袋ナット部７の雌ねじ部８の軸心方向に沿う左右一対の補強リブ１０が一体的に延設され、かつ、頂部側アンカー部９には、第２連結金具Ｋ２のコンクリートセグメントＳ２に対する引き抜き抵抗を増大させるために、その長手方向に沿って複数の鍔部１１が一体的に設けらるとともに、上下一対の補強用条部１２も一体的に設けられている。
【００１６】
前記２つの基部側袋ナット部６は、連結部１３を介して互いに一体的に連結されていて、その連結部１３と両基部側袋ナット部６とにわたって、２つの基部側袋ナット部６を共有する状態で１つの基部側アンカー部１４が連設され、両基部側袋ナット部６と基部側アンカー部１４との連設箇所には、左右一対の補強リブ１５が一体的に設けられている。
前記基部側アンカー部１４は、図５に示すように、断面形状が円形の頂部側アンカー部９よりも太くて、その断面形状が、２つの基部側袋ナット部６の並び方向に沿って長円側を位置させた状態の楕円形に構成され、この基端側アンカー部１４にも、頂部側アンカー部９と同様に、複数の鍔部１６と上下一対の補強用条部１７とが一体的に設けられている。
【００１７】
前記２つの基部側袋ナット部６を連結する連結部１３と頂部側袋ナット部７とは、左右に補強リブ１８ａを備えた前側連結部材１８を介して一体的に連結され、かつ、頂部側アンカー部９と基端側アンカー部１４との端部も、定板部１９と後側連結部材２０を介して一体的に連結されていて、これら前後の連結部材１８，２０と定板部１９とが、１つの頂部側袋ナット部７と２つの基部側袋ナット部６とを連結して一体化するとともに、第２連結金具Ｋ２に引張力が作用した際に、コンクリートセグメントＳ２に対する引き抜き抵抗力を発揮するように構成されている。
【００１８】
以上のような構成からなる連結具を用いて両コンクリートセグメントＳ１，Ｓ２を連結するには、予め、両コンクリートセグメントＳ１，Ｓ２を連結した状態で引張力が作用する側に基部側ボルト挿通孔１を位置させて、一方のコンクリートセグメントＳ１に第１連結金具Ｋ１を埋設し、同様に、引張力が作用する側に基部側袋ナット部６を位置させて、他方のコンクリートセグメントＳ２に第２連結金具Ｋ２を埋設しておく。
【００１９】
そして、第１連結金具Ｋ１と第２連結金具Ｋ２とを対向させ、第１連結金具Ｋ１裏側の空間５を利用して、第１連結金具Ｋ１に設けられた基部側ボルト挿通孔１と頂部側ボルト挿通孔２とにボルトＢを挿通する。
すると、各ボルトＢの先端が、第２連結金具Ｋ２の基部側袋ナット部６と頂部側袋ナット部７の雌ねじ部８に対応して位置することになるため、雌ねじ部２に対するボルトＢの螺合作業を容易に行うことができる。
【００２０】
このようにして連結した状態では、第１連結金具Ｋ１と第２連結金具Ｋ２との接触面Ｆに対してボルトＢが直交する状態で、両コンクリートセグメントＳ１，Ｓ２が連結される。そして、コンクリートセグメントＳ１，Ｓ２に大きな圧力が掛かっても、その圧力に起因する引張力に対して２本のボルトＢで対抗するため、大きな圧力に対しても充分に対抗することができ、また、断面形状が楕円形の基部側アンカー部１４が、その楕円形の長い側を互いに対をなす２つの基部側袋ナット部６の並び方向に沿って位置されているので、両コンクリートセグメントＳ１，Ｓ２間にせん断力が作用しても、そのせん断力を確実に受止めて支持することができる。
【００２１】
〔別実施形態〕
（１）つぎに、別の実施形態につき、図６に基づいて説明するが、重複説明を避けるため、先の実施形態と同一部品および同一作用を有する部品については、同じ符号を付すことにより説明を省略し、主として先の実施形態と異なる構成について説明する。
先の実施形態では、第１連結金具Ｋ１のボルト挿通孔１，２の軸心と第２連結金具Ｋ２の雌ねじ部８の軸心とが、互いに接触する第１連結金具Ｋ１と第２連結金具Ｋ２との接触面Ｆに対して直交する構成のものを示したが、図６に示すように、第１連結金具Ｋ１と第２連結金具Ｋ２との接触面Ｆに対して、第１連結金具Ｋ１のボルト挿通孔１，２の軸心と第２連結金具Ｋ２の雌ねじ部８の軸心とが、所定の角度αだけ傾斜するように構成されたものに適用することもできる。
【００２２】
（２）先の実施形態では、基部側アンカー部１４の断面形状を楕円形に構成した例を示したが、楕円形以外でも、長径と短径を備えた円形状や卵状であっても良く、本明細書においては、それらの形状を含めて長円形と総称する。
ただし、必ずしも長円形である必要もなく、例えば、円形にしたり、矩形や多角形に構成するなど、実施に際しては種々の変更が可能である。
【図面の簡単な説明】
【図１】コンクリートセグメント用連結具の斜視図
【図２】コンクリートセグメント用連結具の一部縦断側面図
【図３】コンクリートセグメント用連結具の一部縦断側面図
【図４】コンクリートセグメント用連結具の一部横断平面図
【図５】コンクリートセグメント用連結具の要部の断面図
【図６】別の実施形態を示すコンクリートセグメント用連結具の一部横断平面図
【図７】従来のコンクリートセグメント用連結具の斜視図
【図８】従来のコンクリートセグメント用連結具の一部縦断側面図
【図９】従来のコンクリートセグメント用連結具の改良案を示す斜視図
【符号の説明】
１        基部側ボルト挿通孔
２        頂部側ボルト挿通孔
６        基部側袋ナット部
７        頂部側袋ナット部
８        雌ねじ部
９        頂部側アンカー部
１４      基部側アンカー部
Ｂ        ボルト
Ｋ１      第１連結金具
Ｋ２      第２連結金具
Ｓ１      一方のコンクリートセグメント
Ｓ２      他方のコンクリートセグメント
【図１】
0003717351.tif 000002
【図２】
0003717351.tif 000003
【図３】
0003717351.tif 000004
【図４】
0003717351.tif 000005
【図５】
0003717351.tif 000006
【図６】
0003717351.tif 000007
【図７】
0003717351.tif 000008
【図８】
0003717351.tif 000009
【図９】
0003717351.tif 000010